(57)【要約】【課題】室圧を計測する差圧センサが無い場合でも、室圧を一定に保つことが可能な室圧制御システムを提供する。【解決手段】室圧制御システムは、部屋１００へ吹き出す給気の風量を調節する給気バルブＭＡＶと、部屋１００から吸い出す排気の風量を調節する一般排気バルブＧＥＸと、給気風量と排気風量との差がオフセット風量設定値に一致するように、給気風量と排気風量のうち少なくとも一方を決定して、給気バルブＭＡＶと一般排気バルブＧＥＸとを制御し、給気風量が直前の給気風量に対して変更された場合に、変更後の給気風量に応じて、室圧が所望の値になるようにオフセット風量設定値を補正するコントローラ１０８とを備える。【選択図】  図１
2018132236.tif 000002
【特許請求の範囲】
【請求項１】
対象部屋へ吹き出す給気の風量を調節するように構成された給気バルブと、
前記対象部屋から吸い出す排気の風量を調節するように構成された一般排気バルブと、
前記給気バルブによって調節される給気風量と前記一般排気バルブによって調節される一般排気風量との差が予め設定されたオフセット風量設定値に一致するように、前記給気風量と前記一般排気風量とのうち少なくとも一方を決定し、前記給気バルブと前記一般排気バルブとを制御するように構成された風量バランス制御部と、
前記給気風量が直前の給気風量に対して変更された場合に、変更後の給気風量に応じて、室圧が所望の値になるように前記オフセット風量設定値を補正するように構成されたオフセット風量補正部とを備えることを特徴とする室圧制御システム。
【請求項２】
請求項１記載の室圧制御システムにおいて、
前記対象部屋に設置された局所排気装置と、
この局所排気装置の排気風量を調節するように構成された局所排気バルブとをさらに備え、
前記風量バランス制御部は、前記給気バルブによって調節される給気風量と前記局所排気バルブおよび前記一般排気バルブによって調節される合計の排気風量との差が前記オフセット風量設定値に一致するように、前記給気バルブによって調節される給気風量と前記一般排気バルブによって調節される一般排気風量とのうち少なくとも一方を決定することを特徴とする室圧制御システム。
【請求項３】
請求項１または２記載の室圧制御システムにおいて、
予め設定されたスケジュールまたは外部からの指示に従って前記風量バランス制御部に対して給気風量変更の指示を出すように構成された風量変更部をさらに備え、
前記風量バランス制御部は、前記風量変更部が変更した給気風量に応じて前記一般排気風量を決定することを特徴とする室圧制御システム。
【請求項４】
請求項１または２記載の室圧制御システムにおいて、
前記対象部屋の負荷状況に応じて前記給気風量を演算するように構成された風量演算部をさらに備え、
前記風量バランス制御部は、前記風量演算部が演算した給気風量に応じて前記一般排気風量を決定することを特徴とする室圧制御システム。
【請求項５】
対象部屋に設置された給気バルブによって調節される給気風量と前記対象部屋に設置された一般排気バルブによって調節される排気風量との差が予め設定されたオフセット風量設定値に一致するように、前記給気バルブの給気風量と前記一般排気バルブの排気風量とのうち少なくとも一方を決定し、前記給気バルブと前記一般排気バルブとを制御する第１のステップと、
前記給気風量が直前の給気風量に対して変更された場合に、変更後の給気風量に応じて、室圧が所望の値になるように前記オフセット風量設定値を補正する第２のステップとを含むことを特徴とする室圧制御方法。
【請求項６】
請求項５記載の室圧制御方法において、
前記対象部屋に設置された局所排気装置の局所排気バルブを制御する第３のステップをさらに含み、
前記第１のステップは、前記給気バルブによって調節される給気風量と前記局所排気バルブおよび前記一般排気バルブによって調節される合計の排気風量との差が前記オフセット風量設定値に一致するように、前記給気バルブによって調節される給気風量と前記一般排気バルブによって調節される一般排気風量とのうち少なくとも一方を決定するステップを含むことを特徴とする室圧制御方法。
【請求項７】
請求項５または６記載の室圧制御方法において、
予め設定されたスケジュールまたは外部からの指示に従って給気風量を変更する第４のステップをさらに含み、
前記第１のステップは、前記第４のステップで変更された給気風量に応じて前記一般排気風量を決定するステップを含むことを特徴とする室圧制御方法。
【請求項８】
請求項５または６記載の室圧制御方法において、
前記対象部屋の負荷状況に応じて前記給気風量を演算する第４のステップをさらに含み、
前記第１のステップは、前記第４のステップで演算された給気風量に応じて前記一般排気風量を決定するステップを含むことを特徴とする室圧制御方法。
【発明の詳細な説明】
【技術分野】
【０００１】
本発明は、室内への給気風量や排気風量の制御により室圧を一定に保つ室圧制御システムに関するものである。
【背景技術】
【０００２】
室圧制御システムは、例えばヒュームフード内で生物化学物質を扱う実験をする場合に、生物化学物質が部屋の外に漏れ出したり外からの不純物等が部屋内に流入したりしないようにするために部屋の圧力を一定に保つシステムである。この室圧制御システムでは、部屋へ吹き出す給気の風量と部屋から吸い出す排気の風量との差が所定の風量（オフセット風量）になるように給気バルブと排気バルブを制御することで室内の陰陽圧を維持する制御が行われる。
【０００３】
また、近年では、室圧制御の精度を改善するために、差圧センサからの室圧の計測値に基づいてオフセット風量を補正するシステムが提案されている（特許文献１、特許文献２参照）。特許文献１に開示された室圧制御システムでは、室圧設定値と室圧計測値との偏差が所定値を超える場合のみ、この偏差に応じてオフセット風量を補正するようにしている。また、特許文献２に開示された室圧制御システムでは、安定した室圧制御を行うために、室圧の計測値の変動を和らげ、変動が和らげられた室圧の計測値に応じてオフセット風量を補正したり、風量設定値の変更速度を制限したりすることが行われている。
【０００４】
しかしながら、特許文献１、特許文献２に開示された室圧制御システムでは、室圧を計測する差圧センサが必要になるという課題があった。
【先行技術文献】
【特許文献】
【０００５】
【特許文献１】特許第５５５２３８７号公報
【特許文献２】特開２００６−７８０１０号公報
【発明の概要】
【発明が解決しようとする課題】
【０００６】
本発明は、上記課題を解決するためになされたもので、室圧を計測する差圧センサが無い場合でも、室圧を一定に保つことが可能な室圧制御システムおよび方法を提供することを目的とする。
【課題を解決するための手段】
【０００７】
本発明の室圧制御システムは、対象部屋へ吹き出す給気の風量を調節するように構成された給気バルブと、前記対象部屋から吸い出す排気の風量を調節するように構成された一般排気バルブと、前記給気バルブによって調節される給気風量と前記一般排気バルブによって調節される一般排気風量との差が予め設定されたオフセット風量設定値に一致するように、前記給気風量と前記一般排気風量とのうち少なくとも一方を決定し、前記給気バルブと前記一般排気バルブとを制御するように構成された風量バランス制御部と、前記給気風量が直前の給気風量に対して変更された場合に、変更後の給気風量に応じて、室圧が所望の値になるように前記オフセット風量設定値を補正するように構成されたオフセット風量補正部とを備えることを特徴とするものである。
【０００８】
また、本発明の室圧制御システムの１構成例は、前記対象部屋に設置された局所排気装置と、この局所排気装置の排気風量を調節するように構成された局所排気バルブとをさらに備え、前記風量バランス制御部は、前記給気バルブによって調節される給気風量と前記局所排気バルブおよび前記一般排気バルブによって調節される合計の排気風量との差が前記オフセット風量設定値に一致するように、前記給気バルブによって調節される給気風量と前記一般排気バルブによって調節される一般排気風量とのうち少なくとも一方を決定することを特徴とするものである。
また、本発明の室圧制御システムの１構成例は、予め設定されたスケジュールまたは外部からの指示に従って前記風量バランス制御部に対して給気風量変更の指示を出すように構成された風量変更部をさらに備え、前記風量バランス制御部は、前記風量変更部が変更した給気風量に応じて前記一般排気風量を決定することを特徴とするものである。
また、本発明の室圧制御システムの１構成例は、前記対象部屋の負荷状況に応じて前記給気風量を演算するように構成された風量演算部をさらに備え、前記風量バランス制御部は、前記風量演算部が演算した給気風量に応じて前記一般排気風量を決定することを特徴とするものである。
【０００９】
また、本発明の室圧制御方法は、対象部屋に設置された給気バルブによって調節される給気風量と前記対象部屋に設置された一般排気バルブによって調節される排気風量との差が予め設定されたオフセット風量設定値に一致するように、前記給気バルブの給気風量と前記一般排気バルブの排気風量とのうち少なくとも一方を決定し、前記給気バルブと前記一般排気バルブとを制御する第１のステップと、前記給気風量が直前の給気風量に対して変更された場合に、変更後の給気風量に応じて、室圧が所望の値になるように前記オフセット風量設定値を補正する第２のステップとを含むことを特徴とするものである。
【発明の効果】
【００１０】
本発明によれば、オフセット風量補正部を設け、給気風量に応じてオフセット風量設定値を補正することにより、室圧を計測する差圧センサや室圧を調整する室圧制御バルブが無い場合でも、室圧を一定に保つことが可能となる。
【図面の簡単な説明】
【００１１】
【図１】本発明の第１の実施例に係る室圧制御システムの構成を示すブロック図である。
【図２】本発明の第１の実施例に係る局所排気用のコントローラの構成例を示すブロック図である。
【図３】本発明の第１の実施例に係る給気用のコントローラの構成例を示すブロック図である。
【図４】本発明の第１の実施例に係る一般排気用のコントローラの構成例を示すブロック図である。
【図５】本発明の第１の実施例に係るシステム全体の制御用のコントローラの構成例を示すブロック図である。
【図６】本発明の第１の実施例に係る室圧制御システムの風量バランス制御動作を説明するフローチャートである。
【図７】本発明の第２の実施例に係る室圧制御システムのシステム全体の制御用のコントローラの構成例を示すブロック図である。
【図８】本発明の第２の実施例に係る室圧制御システムの風量変更制御動作を説明するフローチャートである。
【図９】本発明の第３の実施例に係る室圧制御システムの構成を示すブロック図である。
【図１０】本発明の第３の実施例に係る給気用のコントローラの構成例を示すブロック図である。
【図１１】本発明の第３の実施例に係る室圧制御システムの温度制御御動作を説明するフローチャートである。
【発明を実施するための形態】
【００１２】
［第１の実施例］
以下、本発明の実施例について図面を参照して説明する。図１は本発明の第１の実施例に係る室圧制御システムの構成を示すブロック図である。本実施例の室圧制御システムは、部屋１００内に設置されたヒュームフード１０１と、ヒュームフード１０１に接続された局所排気ダクト１０２と、部屋１００に給気を供給する給気ダクト１０３と、部屋１００の空気を排気する一般排気ダクト１０４と、局所排気ダクト１０２の風量を調整する局所排気バルブＥＸＶと、給気ダクト１０３の風量を調整する給気バルブＭＡＶと、一般排気ダクト１０４の風量を調整する一般排気バルブＧＥＸと、局所排気バルブＥＸＶを制御するコントローラ１０５と、給気バルブＭＡＶを制御するコントローラ１０６と、一般排気バルブＧＥＸを制御するコントローラ１０７と、システム全体を制御するコントローラ１０８と、各コントローラ１０５，１０６，１０７，１０８を互いに接続する通信線１０９とから構成される。ヒュームフード１０１は、開閉可能なサッシ１１０と、サッシ１１０の開度を検出するサッシセンサ１１１とを備えている。
【００１３】
図２はコントローラ１０５の構成例を示すブロック図、図３はコントローラ１０６の構成例を示すブロック図、図４はコントローラ１０７の構成例を示すブロック図、図５はコントローラ１０８の構成例を示すブロック図である。
コントローラ１０５は、局所排気バルブＥＸＶを制御する排気風量制御部１０５０を備えている。コントローラ１０６は、給気バルブＭＡＶを制御する給気風量制御部１０６０を備えている。コントローラ１０７は、一般排気バルブＧＥＸを制御する排気風量制御部１０７０を備えている。
【００１４】
コントローラ１０８は、給気バルブＭＡＶによって調節される給気風量と局所排気バルブＥＸＶおよび一般排気バルブＧＥＸによって調節される排気風量との差がオフセット風量設定値に一致するように、給気バルブＭＡＶによって調節される給気風量と一般排気バルブＧＥＸによって調節される一般排気風量とを決定する風量バランス制御部１０８０と、給気風量に応じてオフセット風量設定値を補正するオフセット風量補正部１０８１とを備えている。
【００１５】
次に、本実施例の室圧制御システムの風量バランス制御動作について説明する。図６は風量バランス制御動作を説明するフローチャートである。ここでは、給気ダクト１０３から吹き出す給気の風量をＶｍａｖ、一般排気ダクト１０４で吸い出す排気の風量をＶｇｅｘ、局所排気ダクト１０２で吸い出す排気の風量をＶｅｘｖとする。
【００１６】
コントローラ１０５の排気風量制御部１０５０は、ヒュームフード１０１のサッシセンサ１１１からサッシ１１０の開度情報を取得する（図６ステップＳ１）。そして、排気風量制御部１０５０は、ヒュームフード１０１のサッシ開口面積に基づいて、サッシ面の面風速が規定値となるように風量Ｖｅｘｖを定め、局所排気ダクト１０２の排気風量がＶｅｘｖとなるように局所排気バルブＥＸＶの開度を制御する（図６ステップＳ２）。ヒュームフード１０１のサッシ開口面積は、サッシセンサ１１１が検出するサッシ開度から求めることができるサッシ１１０の開口部高さと、既知のサッシ幅との乗算により決定することができる。
【００１７】
次に、コントローラ１０８の風量バランス制御部１０８０は、排気風量制御部１０５０によって算出された局所排気風量Ｖｅｘｖに応じて、給気風量Ｖｍａｖと排気風量（Ｖｇｅｘ＋Ｖｅｘｖ）との差がオフセット風量設定値αに一致するように、給気風量Ｖｍａｖと一般排気風量Ｖｇｅｘとを決定する（図６ステップＳ３）。
Ｖｍａｖ＝Ｖｇｅｘ＋Ｖｅｘｖ＋α                                ・・・（１）
【００１８】
ただし、風量バランス制御部１０８０は、部屋１００の最低換気風量を満足させるよう、少なくとも最低風量を常に吹き出すように給気風量Ｖｍａｖを決定する。オフセット風量設定値αは、部屋１００から漏れていく風量を決定すると共に、部屋１００を正圧にするか負圧にするかを決定するための値である。
なお、ヒュームフード１０１が使用されていないとき（すなわち、サッシ１１０が全閉のとき）には、式（２）が成立する。
Ｖｍａｖ＝Ｖｇｅｘ＋α                                          ・・・（２）
【００１９】
コントローラ１０６の給気風量制御部１０６０は、給気ダクト１０３の風量が風量バランス制御部１０８０によって決定された風量Ｖｍａｖとなるように給気バルブＭＡＶの開度を制御する（図６ステップＳ４）。
コントローラ１０７の排気風量制御部１０７０は、一般排気ダクト１０４の排気風量が風量バランス制御部１０８０によって決定された風量Ｖｇｅｘとなるように一般排気バルブＧＥＸの開度を制御する（図６ステップＳ５）。
【００２０】
以上の風量バランス制御動作によれば、ヒュームフード１０１のサッシ１１０の開閉に伴って局所排気風量Ｖｅｘｖが変更されると、この変更に伴って給気風量Ｖｍａｖも変更される。このように異なる風量帯域で動作する場合、オフセット風量設定値αが同一のままだと、室圧の程度が変わってしまうことがある。
【００２１】
オフセット風量設定値αが同一でも給気風量Ｖｍａｖによって室圧の程度が変わってしまう要因としては、給気バルブＭＡＶの個々の風量特性、ダクトワークによる実風量のばらつきがある。給気バルブＭＡＶの個々の風量特性の例としては、例えば給気バルブＭＡＶに低風量域では負の風量誤差があり、反対に高風量域では正の風量誤差があるといった例がある。また、給気ダクト１０３の個々の配管状況により実風量にばらつきが生じることがある。
【００２２】
室圧が変わってしまう場合の圧力調整は室圧制御バルブ（ＰＣＶ）があれば可能であるが、室圧が変わってしまう要因が上記のような給気バルブＭＡＶ及び給気ダクト１０３の特性によるものである場合は、給気風量Ｖｍａｖと室圧の程度の関係性に再現性がある場合がほとんどである。
【００２３】
そこで、本実施例では、給気風量Ｖｍａｖに応じてオフセット風量設定値αを補正する。具体的には、コントローラ１０８のオフセット風量補正部１０８１は、ステップＳ３で決定された給気風量Ｖｍａｖが直前の給気風量Ｖｍａｖに対して変更されている場合（図６ステップＳ６においてＹＥＳ）、変更後の給気風量Ｖｍａｖに応じて、室圧が所望の値になるようにオフセット風量設定値αを補正する（図６ステップＳ７）。
【００２４】
部屋１００の施工の段階と、部屋１００に設置したヒュームフード１０１及び空調設備の調整の段階で、部屋１００の室圧の特性を調査しておけば、室圧が所望の値となるオフセット風量設定値αを、給気風量Ｖｍａｖ毎に決定することが可能である。この給気風量Ｖｍａｖとオフセット風量設定値αとの関係を予めオフセット風量補正部１０８１に登録しておけばよい。
【００２５】
給気風量Ｖｍａｖとオフセット風量設定値αとの関係の登録は、数式（例えば一次式）を登録する形式でもよいし、給気風量Ｖｍａｖに対応するオフセット風量設定値αをデータベースに登録する形式でもよい。数式が登録されている場合、オフセット風量補正部１０８１は、給気風量Ｖｍａｖを数式に入力してオフセット風量設定値αを計算することになる。また、データベースが用意されている場合、オフセット風量補正部１０８１は、給気風量Ｖｍａｖに対応するオフセット風量設定値αをデータベースから取得する。
【００２６】
こうして、例えばユーザからの指示により風量制御が終了するまで（図６ステップＳ８においてＹＥＳ）、ステップＳ１〜Ｓ７の処理が制御周期毎に繰り返し行われる。
【００２７】
本実施例では、給気風量Ｖｍａｖに応じてオフセット風量設定値αを補正することにより、室圧を計測する差圧センサや室圧を調整する室圧制御バルブ（ＰＣＶ）が無い場合でも、室圧を一定に保つことが可能となる。
【００２８】
［第２の実施例］
第１の実施例では、ヒュームフード１０１のサッシ１１０の開閉に伴う局所排気バルブＥＸＶの開閉によって給気風量Ｖｍａｖが変更される場合を例に挙げて説明しているが、給気風量Ｖｍａｖが変わる要因は他にもあり、これら全ての要因に対して本発明を適用することが可能である。給気風量Ｖｍａｖが変更される別の例としては、作業を行わない夜間や休日などの人がいない時間帯において、省エネルギーのために、室内外の圧力差を一定に保ちつつ、給気風量Ｖｍａｖと排気風量Ｖｇｅｘを下げる風量切替制御動作がある。この風量変更は、平日は毎日行われる。昼から夜への切り替えの例では、給気風量Ｖｍａｖと排気風量Ｖｇｅｘを共に徐々に減らし、夜から昼への切り替えの例では、給気風量Ｖｍａｖと排気風量Ｖｇｅｘを共に徐々に増やす。
【００２９】
本実施例においても、室圧制御システムの全体の構成及びコントローラ１０５〜１０７の構成は第１の実施例と同様であるので、図１〜図４の符号を用いて説明する。
図７は本実施例のコントローラ１０８の構成例を示すブロック図である。本実施例のコントローラ１０８は、風量バランス制御部１０８０と、オフセット風量補正部１０８１と、予め設定されたスケジュールまたは外部からの指示に従って風量バランス制御部１０８０に対して風量変更の指示を出す風量変更部１０８２とを備えている。
【００３０】
図８は本実施例の風量変更制御動作を説明するフローチャートである。コントローラ１０８の風量変更部１０８２は、予め設定されたスケジュールに従って風量を変更する場合（例えば昼から夜の時間帯に切り替わる場合もしくは夜から昼の時間帯に切り替わる場合）、または外部から風量変更の指示を受けた場合（図８ステップＳ１０においてＹＥＳ）、風量バランス制御部１０８０に対して給気風量Ｖｍａｖを変更するように指示を出す（図８ステップＳ１１）。
【００３１】
風量変更部１０８２からの指示を受けた風量バランス制御部１０８０は、給気風量Ｖｍａｖを徐々に変更する（図８ステップＳ１２）。このとき、風量バランス制御部１０８０は、給気風量Ｖｍａｖの変更に応じて排気風量Ｖｇｅｘも変更するが、風量変更後も式（１）または式（２）が成立するように排気風量Ｖｇｅｘを決定する。
【００３２】
コントローラ１０６の給気風量制御部１０６０は、給気ダクト１０３の風量が風量バランス制御部１０８０によって決定された風量Ｖｍａｖとなるように給気バルブＭＡＶの開度を制御する（図８ステップＳ１３）。
コントローラ１０７の排気風量制御部１０７０は、一般排気ダクト１０４の排気風量が風量バランス制御部１０８０によって決定された風量Ｖｇｅｘとなるように一般排気バルブＧＥＸの開度を制御する（図８ステップＳ１４）。
【００３３】
ステップＳ１５，Ｓ１６のオフセット風量補正部１０８１の動作は、第１の実施例のステップＳ６，Ｓ７と同じである。
こうして、給気風量Ｖｍａｖがスケジュールで予め設定された風量値または外部から指定された風量値に達するまで（図８ステップＳ１７においてＹＥＳ）、ステップＳ１２〜Ｓ１６の処理が制御周期毎に繰り返し行われる。風量変更後の風量バランス制御は第１の実施例で説明したとおりである。
【００３４】
なお、本実施例では、ヒュームフード１０１は必須の構成要件ではなく、ヒュームフード１０１と局所排気バルブＥＸＶとコントローラ１０５とが設置されていない部屋にも適用可能である。
【００３５】
［第３の実施例］
次に、本発明の第３の実施例について説明する。本実施例では、給気風量Ｖｍａｖが変更される別の例として、温度制御によって給気風量Ｖｍａｖが変更される場合について説明する。図９は本実施例に係る室圧制御システムの構成を示すブロック図である。本実施例においても、コントローラ１０５，１０７，１０８の構成は第１の実施例と同様であるので、図２、図４、図５の符号を用いて説明する。
【００３６】
図１０は本実施例のコントローラ１０６の構成例を示すブロック図である。本実施例のコントローラ１０６は、給気風量制御部１０６０と、部屋１００の負荷状況に応じて給気風量Ｖｍａｖを演算する風量演算部１０６１とを備えている。
【００３７】
図１１は本実施例の温度制御御動作を説明するフローチャートである。コントローラ１０６の風量演算部１０６１は、部屋１００の温度センサ１１２によって計測された室内温度計測値を取得し（図１１ステップＳ２０）、取得した室内温度計測値と室内温度設定値との偏差に基づいて部屋１００に必要な給気風量Ｖｍａｖを演算する（図１１ステップＳ２１）。すなわち、風量演算部１０６１は、室内温度計測値が室内温度設定値と等しい値になるように給気風量Ｖｍａｖを演算する。
【００３８】
コントローラ１０８の風量バランス制御部１０８０は、風量演算部１０６１が演算した給気風量Ｖｍａｖの値に応じて排気風量Ｖｇｅｘを変更する（図１１ステップＳ２２）。このとき、風量バランス制御部１０８０は、風量変更後も式（１）または式（２）が成立するように排気風量Ｖｇｅｘを決定する。
【００３９】
コントローラ１０６の給気風量制御部１０６０は、給気ダクト１０３の風量が風量演算部１０６１によって決定された風量Ｖｍａｖとなるように給気バルブＭＡＶの開度を制御する（図１１ステップＳ２３）。
コントローラ１０７の排気風量制御部１０７０は、一般排気ダクト１０４の排気風量が風量バランス制御部１０８０によって決定された風量Ｖｇｅｘとなるように一般排気バルブＧＥＸの開度を制御する（図１１ステップＳ２４）。
【００４０】
ステップＳ２５，Ｓ２６のオフセット風量補正部１０８１の動作は、第１の実施例のステップＳ６，Ｓ７と同じである。
こうして、例えばユーザからの指示により風量制御が終了するまで（図１１ステップＳ２７においてＹＥＳ）、ステップＳ２０〜Ｓ２６の処理が制御周期毎に繰り返し行われる。
【００４１】
なお、第２の実施例と同様に、ヒュームフード１０１は必須の構成要件ではなく、ヒュームフード１０１と局所排気バルブＥＸＶとコントローラ１０５とが設置されていない部屋にも本実施例を適用可能である。
【００４２】
第１〜第３の実施例で説明したコントローラ１０５，１０６，１０７，１０８の各々は、ＣＰＵ（Central Processing Unit）、記憶装置及びインタフェースを備えたコンピュータと、これらのハードウェア資源を制御するプログラムによって実現することができる。各々のコントローラのＣＰＵは、記憶装置に格納されたプログラムに従って第１〜第３の実施例で説明した処理を実行する。
【００４３】
第１〜第３の実施例では、局所排気装置の１例としてヒュームフードを示したが、安全キャビネットやドラフトチャンバーなど、ヒュームフードと同様の役割を果たす局所排気装置にも本発明を適用可能である。
また、第１〜第３の実施例では、部屋１００に設置されている局所排気装置が１台の場合について説明したが、複数台の局所排気装置が設置されている場合にも本発明を適用可能である。
【産業上の利用可能性】
【００４４】
本発明は、室圧制御システムに適用することができる。
【符号の説明】
【００４５】
１００…部屋、１０１…ヒュームフード、１０２…局所排気ダクト、１０３…給気ダクト、１０４…一般排気ダクト、１０５，１０６，１０７，１０８…コントローラ、１０９…通信線、１１０…サッシ、１１１…サッシセンサ、１１２…温度センサ、１０５０，１０７０…排気風量制御部、１０６０…給気風量制御部、１０６１…風量演算部、１０８０…風量バランス制御部、１０８１…オフセット風量補正部、１０８２…風量変更部、ＥＸＶ…局所排気バルブ、ＭＡＶ…給気バルブ、ＧＥＸ…一般排気バルブ。
【図１】
2018132236.tif 000003
【図２】
2018132236.tif 000004
【図３】
2018132236.tif 000005
【図４】
2018132236.tif 000006
【図５】
2018132236.tif 000007
【図６】
2018132236.tif 000008
【図７】
2018132236.tif 000009
【図８】
2018132236.tif 000010
【図９】
2018132236.tif 000011
【図１０】
2018132236.tif 000012
【図１１】
2018132236.tif 000013